(57)【要約】【課題】ランドプリピットがグルーブの一部である蛇行部分によって構成されている光記録媒体に対し、高品質な信号記録を行う。【解決手段】プッシュプル信号ＰＰに含まれるパルス成分のうち、トラッキングをアベレージセンターに設定した場合にグルーブ３１ｂから見て第１の方向に位置するランドプリピット３１ｄに起因するパルスの強度の方が、第２の方向に位置するランドプリピット３１ｄに起因するパルスの強度よりも高い光記録媒体に対し、第１の方向に位置するランドプリピット３１ｄに起因するパルスのパルス強度をＬＰＰａとし、第２の方向に位置するランドプリピット３１ｄに起因するパルスのパルス強度をＬＰＰｂとした場合、ＬＰＰｂ／ＬＰＰａが０．５〜０．７となるようにトラッキングをオフセットさせながらグルーブ３１ｂに沿ってレーザビームを照射する。【選択図】          図２
2004234775.tif 000002
【特許請求の範囲】
【請求項１】
グルーブに沿ってレーザビームを照射した場合に得られるプッシュプル信号に含まれるパルス成分のうち、トラッキングをアベレージセンターに設定した場合に前記グルーブから見て第１の方向に位置するランドプリピットに起因するパルスの強度の方が、前記第１の方向とは逆方向である第２の方向に位置するランドプリピットに起因するパルスの強度よりも高い光記録媒体に対し、前記第１の方向に位置するランドプリピットに起因するパルスのパルス強度をＬＰＰａとし、前記第２の方向に位置するランドプリピットに起因するパルスのパルス強度をＬＰＰｂとした場合、ＬＰＰｂ／ＬＰＰａが０．５〜０．７となるようにトラッキングをオフセットさせながら前記グルーブに沿ってレーザビームを照射することにより記録を行うことを特徴とする情報記録方法。
【請求項２】
前記第１の方向が前記光記録媒体の外周方向であり、前記第２の方向が前記光記録媒体の内周方向であることを特徴とする請求項１に記載の情報記録方法。
【請求項３】
前記ランドプリピットが、前記グルーブの一部である蛇行部分により構成されていることを特徴とする請求項２に記載の情報記録方法。
【請求項４】
グルーブに沿ってレーザビームを照射した場合に得られるプッシュプル信号に含まれるパルス成分のうち、トラッキングをアベレージセンターに設定した場合に前記グルーブから見て第１の方向に位置するランドプリピットに起因するパルスの強度の方が、前記第１の方向とは逆方向である第２の方向に位置するランドプリピットに起因するパルスの強度よりも高い光記録媒体に対する情報記録が可能であり、前記第１の方向に位置するランドプリピットに起因するパルスのパルス強度をＬＰＰａとし、前記第２の方向に位置するランドプリピットに起因するパルスのパルス強度をＬＰＰｂとした場合、ＬＰＰｂ／ＬＰＰａが０．５〜０．７となるようにトラッキングをオフセットさせながら前記グルーブに沿ってレーザビームを照射することにより記録を行うことを特徴とする情報記録装置。
【請求項５】
螺旋状に設けられたグルーブと、前記グルーブ間に設けられた複数のランドプリピットとを備え、前記グルーブに沿ってレーザビームを照射した場合に得られるプッシュプル信号に含まれるパルス成分のうち、トラッキングをアベレージセンターに設定した場合に前記グルーブから見て第１の方向に位置するランドプリピットに起因するパルスの強度の方が、前記第１の方向とは逆方向である第２の方向に位置するランドプリピットに起因するパルスの強度よりも高く、前記第１の方向に位置するランドプリピットに起因するパルスのパルス強度をＬＰＰａとし、前記第２の方向に位置するランドプリピットに起因するパルスのパルス強度をＬＰＰｂとした場合、ＬＰＰｂ／ＬＰＰａが０．５〜０．７となるようにトラッキングをオフセットさせながら前記グルーブに沿ってレーザビームを照射することにより記録を行うための設定情報を有していることを特徴とする光記録媒体。
【請求項６】
前記第１の方向が前記光記録媒体の外周方向であり、前記第２の方向が前記光記録媒体の内周方向であることを特徴とする請求項５に記載の光記録媒体。
【請求項７】
前記ランドプリピットが、前記グルーブの一部である蛇行部分により構成されていることを特徴とする請求項６に記載の光記録媒体。
【請求項８】
有機色素を含む記録層をさらに備えていることを特徴とする請求項５乃至７のいずれか１項に記載の光記録媒体。
【発明の詳細な説明】
【０００１】
【発明の属する技術分野】
本発明は光記録媒体、光記録媒体に対する情報記録方法及び情報記録装置に関し、特に、ランドプリピット（ＬＰＰ）を備えたユーザによる情報の記録が可能な光記録媒体、このような光記録媒体に対する情報記録方法及びこのような光記録媒体に情報を記録可能な情報記録装置に関する。
【０００２】
【従来の技術】
従来より、デジタルデータを記録するための記録媒体として、ＣＤやＤＶＤに代表される光記録媒体が広く利用されている。これらの光記録媒体は、ＣＤ−ＲＯＭやＤＶＤ−ＲＯＭのようにデータの追記や書き換えができないタイプの光記録媒体（ＲＯＭ型光記録媒体）と、ＣＤ−ＲやＤＶＤ−Ｒのようにデータの追記はできるがデータの書き換えができないタイプの光記録媒体（追記型光記録媒体）と、ＣＤ−ＲＷやＤＶＤ−ＲＷのようにデータの書き換えが可能なタイプの光記録媒体（書き換え型光記録媒体）とに大別することができる。
【０００３】
ＲＯＭ型光記録媒体においては、一般に、製造時において予め基板上に設けられたピット列によりデータが保持される。かかるピット列は基板上において螺旋状に配列されており、これに沿ってレーザビームを照射してその反射光量を検出することにより、保持されたデータを再生することができる。
【０００４】
これに対し、追記型光記録媒体や書き換え型光記録媒体においては、基板上に有機色素や相変化材料等からなる記録層が設けられており、データを記録する場合には、製造時において予め基板上に設けられた螺旋状のグルーブに沿って強度変調されたレーザビームを記録層に照射することにより、記録層に含まれる有機色素や相変化材料等を局所的に化学的変化及び／又は物理的変化させ、これにより多数のピット（記録マーク）を形成する。記録されたデータを再生する場合には、ＲＯＭ型光記録媒体と同様、螺旋状に配列されたピット列に沿ってレーザビームを照射し、その反射光量を検出する。
【０００５】
追記型光記録媒体や書き換え型光記録媒体の基板に設けられるグルーブは、光記録媒体の径方向に所定の周期をもって蛇行（ウォブリング）している。したがって、データの記録時においては、検出されたウォブル信号（ＷＯ信号）に基づいてスピンドルモータの回転サーボ用の同期信号を生成することによって、光記録媒体の径方向における記録位置に関わらず線速度を一定に保つことが可能となる。
【０００６】
さらに、隣り合うグルーブ間に存在するランド領域には、製造時において予めランドプリピット（ＬＰＰ）と呼ばれる多数のピットが形成されており、データの記録時においては、ランドプリピットより得られるランドプリピット信号（ＬＰＰ信号）に基づいて、記録エリアのアドレスが特定される。ランドプリピットは、一般にその内周側に位置するグルーブのアドレスを保持しており、当該グルーブがウォブリングにより最も外周側に蛇行した位置（変曲点）の外周側に設けられる。したがって、データの記録時においては、ビームスポットの中心から見て外周側に位置するランドプリピットに起因したランドプリピット信号を抽出すれば、現在ビームスポットが照射されているグルーブのアドレスを特定することが可能となる。
【０００７】
上述したウォブル信号及びランドプリピット信号は、反射光を検出するフォトディテクタの出力に基づき生成されるプッシュプル信号（ＰＰ信号）から抽出される。
【０００８】
図１２は、フォトディテクタの出力に基づいてプッシュプル信号を生成する方法を概念的に示す模式図である。図１２に示すように、光記録媒体１０から光ヘッド１１へ入射する反射光１２は、ビームスポットの中心をグルーブの延在方向に沿って２分割した場合、中心から見て外周側に属する成分を検出するフォトディテクタ１３ａと、中心から見て内周側に属する成分を検出するフォトディテクタ１３ｂによってその光量が検出される。このようにして得られた２つの検出信号Ａ及び検出信号Ｂは、加算器１４によって加算されるとともに減算器１５によって減算され、加算された信号（Ａ＋Ｂ）はＨＦ信号（再生信号）として用いられ、減算された信号（Ａ−Ｂ）はプッシュプル信号として用いられる。
【０００９】
図１３は、グルーブに沿ってレーザビームを照射した場合に得られるプッシュプル信号の波形図である。上述のとおり、プッシュプル信号は光記録媒体より得られる反射光を、外周側に属する成分（Ａ）と内周側に属する成分（Ｂ）に２分割した場合におけるこれら成分の差（Ａ−Ｂ）を示している。ウォブルの周波数は、トラッキングサーボ帯域よりも十分に高く設定されているため、トラッキング時にウォブルに追従することはなく、その結果、プッシュプル信号にはウォブル信号が現れる。
【００１０】
図１３に示すように、プッシュプル信号の主成分はウォブルの周期に一致しており、所定のタイミングにおいてランドプリピットに起因するパルス１８が現れる。したがって、ローパスフィルタ等を用いてこれらパルス１８を除去すれば、ウォブル信号を得ることが可能となる。
【００１１】
ここで、パルス１８のうち負方向（−）へ振れるパルス１８ａは、ビームスポットの中心から見て外周側に位置するランドプリピットに起因したパルスである。上述のとおり、ランドプリピットは当該グルーブがウォブリングにより最も外周側に蛇行した位置（変曲点）に外周側に設けられていることから、負方向（−）へ振れるパルス１８ａは、図１３に示すように、プッシュプル信号に含まれるウォブル成分が負のピークとなった位置において現れる。一方、パルス１８のうち正方向（＋）へ振れるパルス１８ｂは、ビームスポットの中心から見て内周側に位置するランドプリピットに起因したパルスである。したがって、正方向（＋）へ振れるパルス１８ｂは、プッシュプル信号に含まれるウォブル成分とは実質的に無関係な位置に出現する。したがって、図１３に示すようにプッシュプル信号に所定の負のしきい値を設定すれば、ビームスポットの中心から見て外周側に位置するランドプリピットに起因したパルス１８ａのみを抽出することができる。このようにして抽出されたパルス１８ａがランドプリピット信号として用いられる。
【００１２】
図１４は、種々のランドプリピットの形状を概略的に示す斜視図であり、（ａ）はランドプリピットをランドの略中央に独立して形成した例を示し、（ｂ）はランドプリピットを内周側にずらして形成した例を示し、（ｃ）はランドプリピットをグルーブの一部である蛇行部分によって構成した例を示している。図１４（ａ）に示す例は、例えば特許文献１の図３に示されており、図１４（ｂ）に示す例は、例えば特許文献２の図１に示されており、図１４（ｃ）に示す例は、例えば特許文献３の図５に示されている。尚、図１４（ａ）〜（ｃ）においては、図面の見やすさを考慮してグルーブがウォブリングしている様子は省略され、直線的に描かれている。
【００１３】
図１４（ａ）〜（ｃ）に示すいずれの例においても、プッシュプル信号に含まれるパルスのうち、レーザビームのビームスポットが符号２０ａに示す位置にある場合に、ビームスポットの中心から見て外周側に位置するランドプリピット２１に起因したパルス１８ａを抽出することにより、現在のアドレスを特定することができる。ここで、レーザビームのビームスポットが符号２０ｂに示す位置にある場合においても同じランドプリピット２１に起因したパルス１８ｂが得られることになるが、この場合、ランドプリピット２１はビームスポットの中心から見て内周側に位置することから、かかるパルス１８ｂはアドレスの特定には用いられない。
【００１４】
ここで、図１４（ａ）に示す例のように、ランドプリピット２１をランドの略中央に独立して形成した場合においては、レーザビームのビームスポットが符号２０ａに示す位置にある場合にランドプリピット２１より得られるプッシュプル信号のパルス成分と、レーザビームのビームスポットが符号２０ｂに示す位置にある場合にランドプリピット２１より得られるプッシュプル信号のパルス成分とは、ほぼ等しい強度となる。つまり、図１３に示したパルス１８ａのパルス強度とパルス１８ｂのパルス強度とがほぼ等しくなる。これは、図１２に示したフォトディテクタ１３ａより得られる検出信号Ａとフォトディテクタ１３ｂより得られる検出信号Ｂとが全体的にほぼ均等であることを意味する。
【００１５】
一方、図１４（ｂ）に示す例のようにランドプリピット２１を内周側にずらして形成したり、図１４（ｃ）に示す例のようにランドプリピット２１をグルーブの一部である蛇行部分によって構成した場合においては、レーザビームのビームスポットが符号２０ａに示す位置にある場合にランドプリピット２１より得られるプッシュプル信号のパルス成分と、レーザビームのビームスポットが符号２０ｂに示す位置にある場合にランドプリピット２１より得られるプッシュプル信号のパルス成分とは、その強度が一致せず、レーザビームのビームスポットが符号２０ａに示す位置にある場合にランドプリピット２１より得られるパルス成分の強度の方が高くなる。つまり、図１３に示したパルス１８ａのパルス強度の方が、パルス１８ｂのパルス強度よりも大きくなる。これは、図１２に示したフォトディテクタ１３ａより得られる検出信号Ａとフォトディテクタ１３ｂより得られる検出信号Ｂとが、全体的に不均等であることを意味する。
【００１６】
【特許文献１】特開２００２−３２９１８号公報
【特許文献２】特開２００１−１１８２８８号公報
【特許文献３】特開２００２−２５１２１号公報
【発明が解決しようとする課題】
上述のとおり、ランドプリピット信号はプッシュプル信号に含まれるパルス１８ａを抽出して得られるものであることから、パルス１８ａのパルス強度とパルス１８ｂのパルス強度との間に差があったとしても、これによりランドプリピット信号の信号品質が低下することはない。
【００１７】
しかしながら、図１４（ｂ）に示す例のようにランドプリピット２１を内周側にずらして形成したり、図１４（ｃ）に示す例のようにランドプリピット２１をグルーブの一部である蛇行部分によって構成した場合、ランドプリピット２１が形成されている部分において溝パラメータが局所的に変動するため、トラッキングをグルーブの中心に設定した場合であってもＨＦ信号のノイズが増加し、信号品質が低下することがある。
【００１８】
したがって、本発明の目的は、ランドプリピットがランドの中央からずれて配置され、或いは、ランドプリピットがグルーブの一部である蛇行部分によって構成されている光記録媒体に対し、高品質な信号記録を行うことが可能な情報記録方法及び情報記録装置を提供することである。
【００１９】
また、本発明の他の目的は、ランドプリピットがランドの中央からずれて配置され、或いは、ランドプリピットがグルーブの一部である蛇行部分によって構成されている光記録媒体であって、高品質な信号記録を行うことが可能な光記録媒体を提供することである。
【００２０】
【課題を解決するための手段】
本発明による情報記録方法は、グルーブに沿ってレーザビームを照射した場合に得られるプッシュプル信号に含まれるパルス成分のうち、トラッキングをアベレージセンターに設定した場合に前記グルーブから見て第１の方向に位置するランドプリピットに起因するパルスの強度の方が、前記第１の方向とは逆方向である第２の方向に位置するランドプリピットに起因するパルスの強度よりも高い光記録媒体に対し、前記第１の方向に位置するランドプリピットに起因するパルスのパルス強度をＬＰＰａとし、前記第２の方向に位置するランドプリピットに起因するパルスのパルス強度をＬＰＰｂとした場合、ＬＰＰｂ／ＬＰＰａが０．５〜０．７となるようにトラッキングをオフセットさせながら前記グルーブに沿ってレーザビームを照射することにより記録を行うことを特徴とする。
【００２１】
本発明によれば、ＬＰＰｂ／ＬＰＰａが０．５〜０．７となるようにトラッキングをオフセットさせながら情報の記録を行っていることから、ランドプリピットが形成されている部分における溝パラメータの局所的変動の影響が軽減され、その結果、レーザビームのトラッキングがアベレージセンターである場合と比べてＨＦ信号の品質が改善される。これにより、ジッタやＰＩエラーを低減することが可能となる。この場合、ＬＰＰｂ／ＬＰＰａが０．５５〜０．６５となるようにトラッキングオフセットを設定することが好ましく、ＬＰＰｂ／ＬＰＰａが約０．６となるようにトラッキングオフセットを設定することがより好ましい。
【００２２】
ここで、「アベレージセンター」とはウォブルによる周期的なトラッキングのぶれを平均化した場合におけるグルーブの中心を指し、本明細書においては、トラッキングをアベレージセンターに設定した場合について「トラッキングオフセットがゼロである」と表記することがある。
【００２３】
本発明は、前記第１の方向が光記録媒体の外周方向であり、前記第２の方向が光記録媒体の内周方向である場合に好適であり、ランドプリピットがグルーブの一部である蛇行部分により構成されている場合に特に好適である。
【００２４】
また、本発明による情報記録装置は、グルーブに沿ってレーザビームを照射した場合に得られるプッシュプル信号に含まれるパルス成分のうち、トラッキングをアベレージセンターに設定した場合に前記グルーブから見て第１の方向に位置するランドプリピットに起因するパルスの強度の方が、前記第１の方向とは逆方向である第２の方向に位置するランドプリピットに起因するパルスの強度よりも高い光記録媒体に対する情報記録が可能であり、前記第１の方向に位置するランドプリピットに起因するパルスのパルス強度をＬＰＰａとし、前記第２の方向に位置するランドプリピットに起因するパルスのパルス強度をＬＰＰｂとした場合、ＬＰＰｂ／ＬＰＰａが０．５〜０．７となるようにトラッキングをオフセットさせながら前記グルーブに沿ってレーザビームを照射することにより記録を行うことを特徴とする。
【００２５】
本発明においても、ＬＰＰｂ／ＬＰＰａが０．５〜０．７となるようにトラッキングをオフセットさせながら情報の記録を行っていることから、ランドプリピットが形成されている部分における溝パラメータの局所的変動の影響が軽減され、その結果、レーザビームのトラッキングがアベレージセンターである場合と比べてＨＦ信号の品質が改善される。これにより、上述の通り、ジッタやＰＩエラーを低減することが可能となる。本発明においても、ＬＰＰｂ／ＬＰＰａが０．５５〜０．６５となるようにトラッキングオフセットを設定することが好ましく、ＬＰＰｂ／ＬＰＰａが約０．６となるようにトラッキングオフセットを設定することがより好ましい。
【００２６】
また、本発明による光記録媒体は、螺旋状に設けられたグルーブと、前記グルーブ間に設けられた複数のランドプリピットとを備え、前記グルーブに沿ってレーザビームを照射した場合に得られるプッシュプル信号に含まれるパルス成分のうち、トラッキングをアベレージセンターに設定した場合に前記グルーブから見て第１の方向に位置するランドプリピットに起因するパルスの強度の方が、前記第１の方向とは逆方向である第２の方向に位置するランドプリピットに起因するパルスの強度よりも高く、前記第１の方向に位置するランドプリピットに起因するパルスのパルス強度をＬＰＰａとし、前記第２の方向に位置するランドプリピットに起因するパルスのパルス強度をＬＰＰｂとした場合、ＬＰＰｂ／ＬＰＰａが０．５〜０．７となるようにトラッキングをオフセットさせながら前記グルーブに沿ってレーザビームを照射することにより記録を行うための設定情報を有していることを特徴とする。
【００２７】
本発明による光記録媒体には、ＬＰＰｂ／ＬＰＰａが０．５〜０．７となるようにトラッキングをオフセットさせながら情報の記録を行うための設定情報が備えられていることから、ランドプリピットが形成されている部分における溝パラメータの局所的変動の影響が軽減され、その結果、レーザビームのトラッキングがアベレージセンターである場合と比べてＨＦ信号の品質が改善される。これにより、上述の通り、ジッタやＰＩエラーを低減することが可能となる。本発明においても、上記設定情報は、ＬＰＰｂ／ＬＰＰａが０．５５〜０．６５となるようにトラッキングオフセットを設定するための設定情報であることが好ましく、ＬＰＰｂ／ＬＰＰａが約０．６となるようにトラッキングオフセットを設定するための設定情報であることがより好ましい。
【００２８】
また、前記第１の方向が光記録媒体の外周方向であり、前記第２の方向が光記録媒体の内周方向であることが好ましく、ランドプリピットがグルーブの一部である蛇行部分により構成されていることが好ましい。さらに、本発明による光記録媒体は、有機色素を含む記録層をさらに備えていることが好ましい。
【００２９】
【発明の実施の形態】
以下、添付図面を参照しながら、本発明の好ましい実施態様について詳細に説明する。
【００３０】
図１（ａ）は、本発明の適用が好適な光記録媒体３０の外観を示す切り欠き斜視図であり、図１（ｂ）は、図１（ａ）に示すＡ部を拡大した部分断面図である。
【００３１】
図１（ａ），（ｂ）に示す光記録媒体３０は、いわゆるＤＶＤ−Ｒ型の光記録媒体（追記型光記録媒体）であって、その外径は約１２０ｍｍ、厚みは約１．２ｍｍに設定されている。また、図１（ｂ）に示すように、光記録媒体３０は光透過性基板３１及びダミー基板３２と、これらの間に設けられた記録層４１、反射層４２、保護層４３、接着層４４とを備えて構成されている。
【００３２】
光透過性基板３１は、使用されるレーザビームの波長領域において光透過率が十分に高い材料からなる円盤状の基板であり、その一方の面（図１における下面）はレーザビームが入射する光入射面３１ａを構成し、他方の面（図１における上面）には、その中心部近傍から外縁部に向けて、レーザビームガイド用のグルーブ３１ｂおよびランド３１ｃが螺旋状に形成されている。光透過性基板３１は、データの記録／再生時に照射されるレーザビームの光路となるとともに、光記録媒体３０に求められる機械的強度を確保するための基体としての役割をも果たす。光透過性基板３１の厚さは約０．６ｍｍに設定され、その材料としては種々の材料を用いることが可能であり、例えば、ガラス、セラミックス、あるいは樹脂を用いることができる。これらのうち、成形の容易性の観点から樹脂が好ましい。このような樹脂としてはポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等が挙げられる。中でも、光学特性・加工性などの点からポリカーボネート樹脂が特に好ましい。
【００３３】
ダミー基板３２は、光記録媒体３０に求められる厚み（約１．２ｍｍ）を確保するために用いられる円盤状の基板であり、その厚さは光透過性基板３１と同様、約０．６ｍｍに設定される。ダミー基板３２の材料についても光透過性基板３１と同様、ガラス、セラミックス、樹脂等、種々の材料を用いることが可能であるが、ダミー基板３２は、光透過性基板３１とは異なりレーザビームの光路とはならないことから、高い光透過性を有している必要はない。しかしながら、加工性などの点から、ダミー基板３２についてもポリカーボネート樹脂を用いることが好ましい。
【００３４】
記録層４１は、シアニン、メロシアニン、メチン系色素およびその誘導体、ベンゼンチオール金属錯体、フタロシアニン色素、ナフタロシアニン色素、アゾ色素などの有機色素からなり、この有機色素が光透過性基板３１の表面に設けられたグルーブ３１ｂおよびランド３１ｃを覆うように塗布されて形成されている。この記録層４１は、所定以上のパワーに設定されたレーザビームが照射されると分解変質し、その光学定数が変化する。記録層４１のうち分解変質した領域は「記録マーク（ピット）」として用いられ、分解変質していない領域は「ブランク領域」として用いられる。記録されるデータは、記録マークの長さ（記録マークの前縁から後縁までの長さ）及びブランク領域の長さ（記録マークの後縁から次の記録マークの前縁までの長さ）によって表現される。記録マーク及びブランク領域の長さは、基準となるクロックの１周期に相当する長さをＴとした場合、Ｔの整数倍に設定される。具体的には、ＤＶＤ−Ｒにおいては８／１６変調方式が採用されており、３Ｔ〜１１Ｔ及び１４Ｔの長さを持つ記録マーク及びブランク領域が使用される。
【００３５】
反射層４２は、光記録媒体３０に記録された記録データの再生時において、光透過性基板３１および記録層４１を通過したレーザビームを反射するための薄膜層であり、記録層４１上に設けられる。反射層４２の材料としては、レーザビームを反射可能である限り特に制限されず、例えば、Ｍｇ、Ａｌ、Ｔｉ、Ｃｒ、Ｆｅ、Ｃｏ、Ｎｉ、Ｃｕ、Ｚｎ、Ｇｅ、Ａｇ、Ｐｔ、Ａｕ等を用いることができる。これらのうち、高い反射率を有することから、Ａｌ、Ａｕ、Ａｇ、Ｃｕ又はこれらの合金（ＡｌとＴｉとの合金等）などの金属材料を用いることが好ましい。
【００３６】
保護層４３は、透過性基板３１上に設けられた記録層４１及び反射層４２を保護する層であって、反射層４２の表面を覆うように形成されている。保護層４３の材料としては、記録層４１及び反射層４２を物理的・化学的に保護可能である限り特に限定されないが、紫外線硬化性樹脂を用いることが好ましい。
【００３７】
接着層４４は、光透過性基板３１、記録層４１、反射層４２及び保護層４３からなる積層体とダミー基板３２とを接着する層であり、特に限定されるものではないが、紫外線硬化性接着剤を用いることが好ましい。
【００３８】
図２は、光透過性基板３１に設けられたグルーブ３１ｂおよびランド３１ｃの構造を示す切り欠き斜視図である。
【００３９】
図２に示すように、光透過性基板３１に設けられたランド３１ｃの所定の部分には、グルーブ３１ｂの一部である蛇行部分によって構成されたランドプリピット（ＬＰＰ）３１ｄが設けられている。上述のとおり、各ランドプリピット３１ｄはその内周側に位置するグルーブ３１ｂのアドレスを保持しており、データの記録時においてアドレス情報を得るために利用される。また、透過性基板３１に設けられたグルーブ３１ｂは、光記録媒体の径方向に所定の周期をもって蛇行（ウォブリング）しているが、図２においては、図面の見やすさを考慮してグルーブ３１ｂがウォブリングしている様子は省略され、直線的に描かれている。上述のとおり、グルーブ３１ｂのウォブリングは、少なくともデータの記録時における回転制御に利用される。かかるランドプリピット３１ｄは、グルーブ３１ｂがウォブリングにより最も外周側に蛇行した位置（変曲点）に相当する位置に設けられる。
【００４０】
次に、上記光記録媒体３０の製造方法の一例について説明する。
【００４１】
まず、スタンパを用いた射出成形法や２Ｐ法等により、グルーブ３１ｂ、ランド３１ｃ及びランドプリピット３１ｄが形成された光透過性基板３１を作製する。また、同じく射出成形法や２Ｐ法等によりダミー基板１２を作製する。ダミー基板１２にはグルーブ、ランド及びランドプリピットを形成する必要はない。
【００４２】
上述のとおり、光透過性基板３１に設けられるランドプリピット３１ｄはグルーブ３１ｂの一部である蛇行部分によって構成されることから、光透過性基板３１の作製に用いるスタンパは、単一のレーザビームを用いたカッティングにより作製することができる。尚、図１４（ａ）に示したように、ランドプリピットをランドの略中央に独立して形成する場合や、図１４（ｂ）に示したように、ランドプリピットを内周側にずらして形成する場合には、単一のレーザビームを用いたカッティングにより光透過性基板用のスタンパを作製することは困難であり、グルーブ形成用のレーザビームとは別に、ランドプリピット形成用のレーザビームを用いてカッティングを行うことが一般的である。
【００４３】
次に、光透過性基板３１の表面のうち、グルーブ３１ｂ及びランド３１ｃが形成された面に記録層４１を形成する。記録層４１の形成は、例えば、有機色素を含む溶剤を光透過性基板３１上にスピンコートし、その後、溶媒を蒸発させることにより行うことができる。
【００４４】
次に、記録層４１上に反射層４２を形成する。反射層４２の形成には、例えば反射層４２の構成元素を含む化学種を用いた気相成長法を用いることができる。このような気相成長法としては、例えば、真空蒸着法、スパッタリング法等が挙げられる。
【００４５】
次に、反射層４２上に保護層４３を形成する。保護層４３は、例えば、粘度調整されたアクリル系又はエポキシ系の紫外線硬化性樹脂をスピンコート法等により皮膜させ、紫外線を照射して硬化する等の方法により形成することができる。
【００４６】
次に、保護層４３上に接着層４４を形成する。接着層４４は、例えば、粘度調整された紫外線硬化性接着剤をスピンコート法等により皮膜させることにより形成することができる。
【００４７】
そして、記録層４１、反射層４２、保護層４３及び接着層４４が形成された光透過性基板３１とダミー基板３２とを貼り合わせ、例えばダミー基板３２側から紫外線を照射することにより、接着層４４とダミー基板３２とを確実に接着させる。以上により、光記録媒体３０の製造が完了する。
【００４８】
なお、上記光記録媒体３０の製造方法は、上記製造方法に特に限定されるものではなく、公知の光記録媒体の製造に採用される製造技術を用いることができる。
【００４９】
次に、光記録媒体３０に対してデータの記録／再生を行うことが可能な情報記録再生装置について説明する。
【００５０】
図３は、光記録媒体３０に対してデータの記録／再生を行う情報記録再生装置１００の概略構成図である。
【００５１】
図３に示すように、情報記録再生装置１００は、光記録媒体３０を回転させるスピンドルモータ１０１と、光記録媒体３０にレーザビーム５１を照射するとともにその反射光５２を受光する光ヘッド１１０と、光ヘッド１１０を光記録媒体３０の径方向に移動させるトラバースモータ１０２と、光ヘッド１１０にレーザ駆動信号１０３ａを供給するレーザ駆動回路１０３と、光ヘッド１１０レンズ駆動信号１０４ａを供給するレンズ駆動回路１０４と、光ヘッド１１０より出力される検出信号Ａと検出信号Ｂとを加算する加算器１０５と、光ヘッド１１０より出力される検出信号Ａから検出信号Ｂを減算する減算器１０６と、スピンドルモータ１０１、トラバースモータ１０２、レーザ駆動回路１０３及びレンズ駆動回路１０４を制御するコントローラ１０７とを備えている。
【００５２】
光ヘッド１１０は、レーザ駆動信号１０３ａに基づいてレーザビーム５１を発生するレーザ光源１１１と、レーザ光源１１１が発するレーザビーム５１を平行光線に変換するコリメータレンズ１１２と、光束上に配置されたビームスプリッタ１１３と、レーザビーム５１を集光する対物レンズ１１４と、レンズ駆動信号１０４ａに基づいて対物レンズ１１４を垂直方向及び水平方向に移動させるアクチュエータ１１５と、反射光５２を受けてこれを光電変換するフォトディテクタ１１６ａ，１１６ｂとを備えている。このうち、フォトディテクタ１１６ａはビームスポットの中心から見て外周側成分についての光電変換を行い、フォトディテクタ１１６ｂはビームスポットの中心から見て内周側成分についての光電変換を行う。フォトディテクタ１１６ａの出力は検出信号Ａとして用いられ、フォトディテクタ１１６ｂの出力は検出信号Ｂとして用いられる。
【００５３】
スピンドルモータ１０１は、コントローラ１０７による制御のもと、光記録媒体３０を所望の回転数で回転させることが可能である。光記録媒体３０に対する回転制御方法としては、線速度を一定に保って回転させる方法（ＣＬＶ方式）と角速度を一定に保って回転させる方法（ＣＡＶ方式）に大別することができる。ＣＬＶ方式を用いた回転制御によれば、記録／再生位置が光記録媒体３０の内周部分であるか外周部分であるかに関わらずデータ転送レートが一定となることから、常に高いデータ転送レートで記録／再生を行うことができるという利点がある反面、記録／再生位置に応じて光記録媒体３０の回転速度を変化させる必要があるためスピンドルモータ１０１に対する制御が複雑となり、このためランダムアクセス速度が遅いという欠点を有している。一方、ＣＡＶ方式を用いた回転制御によれば、スピンドルモータ１０１に対する制御が簡単であることからランダムアクセス速度が速いという利点がある反面、光記録媒体３０の内周へ向かうほどデータ転送レートが低くなるという欠点を有している。現在実用化されている光記録媒体の記録／再生方式の多くは、ＣＬＶ方式を採用しているが、これは、ＣＡＶ方式を用いた場合に比べて高い記録密度を得ることができるという利点に着目した結果である。
【００５４】
トラバースモータ１０２は、コントローラ１０７による制御のもと、光ヘッド１１０を光記録媒体３０の径方向に移動させるために用いられ、データの記録／再生時においては、光記録媒体３０に設けられた螺旋状のグルーブ３１ｂに沿ってレーザビーム５１のビームスポットが光記録媒体３０の内周から外周へ徐々に移動するよう、光ヘッド１１０を駆動する。また、データの記録／再生位置を変更する場合にも、コントローラ１０７はトラバースモータ１０２を制御することによって、レーザビーム５１のビームスポットを光記録媒体３０上の所望の位置に移動させる。
【００５５】
レーザ駆動回路１０３は、コントローラ１０７による制御のもと、光ヘッド１１０内のレーザ光源１１１にレーザ駆動信号１０３ａを供給するために用いられ、生成されるレーザビーム５１の強度はレーザ駆動信号１０３ａの強度に対応したものとなる。データの記録時においては、レーザ駆動信号１０３ａを強度変調することにより、レーザビーム５１の強度が記録パワーＰｗから基底パワーＰｂ（＜Ｐｗ）までの振幅を持ったパルス波形とされる。記録パワーＰｗを持つレーザビーム５１が光記録媒体３０の記録層４１に照射されると、当該領域において記録層４１に含まれる有機色素が分解変質し、記録マークとなる。したがって、基本的に、記録マークを形成すべき部分におけるレーザビーム５１の強度が記録パワーＰｗとなり、ブランク領域とすべき部分におけるレーザビーム５１の強度が基底パワーＰｂとなるよう、レーザ駆動信号１０３ａを強度変調すれば、光記録媒体３０のグルーブ３１ｂに沿って、所望の記録マーク列を形成することが可能となる。一方、データの再生時においては、レーザ駆動信号１０３ａは所定の強度に固定され、これによりレーザビーム５１の強度は再生パワーＰｒ（≒Ｐｂ）に固定される。
【００５６】
レンズ駆動回路１０４は、コントローラ１０７による制御のもと、アクチュエータ１１５にレンズ駆動信号１０４ａを供給するために用いられ、これにより、レーザビーム５１のビームスポットを光記録媒体３０の記録層４１に正しくフォーカスすることができるとともに、偏芯しているグルーブ３１ｂに対して、レーザビーム５１のビームスポットを追従させることができる。すなわち、コントローラ１０７にはフォーカス制御回路１０７ａが備えられており、これがフォーカスオン状態となると、レーザビーム５１のビームスポットが光記録媒体３０の記録層４１にフォーカスされた状態に固定される。さらに、コントローラ１０７にはトラッキング制御回路１０７ｂが備えられており、これがトラッキングオン状態となると、レーザビーム５１のビームスポットが光記録媒体３０のグルーブ３１ｂに対して自動追従状態とされる。また、トラッキング制御回路１０７ｂは、トラッキングオフセットの調整を行うことが可能である。
【００５７】
このような情報記録再生装置１００を用いて光記録媒体３０にレーザビーム５１を照射する場合、コントローラ１０７は、レーザ駆動回路１０３を制御し、これに基づきレーザ駆動回路１０３はレーザ駆動信号１０３ａをレーザ光源１１１に供給する。レーザ光源１１１はこれに基づいてレーザビーム５１を発生し、このレーザビーム５１はコリメータレンズ１１２によって平行光線に変換された後、ビームスプリッタ１１３を経由して対物レンズ１１４に入射し、光記録媒体３０が備えるグルーブ３１ｂ上に集束される。
【００５８】
また、光記録媒体３０に照射されたレーザビーム５１の反射光５２は、対物レンズ１１４によって平行光線に変換された後、ビームスプリッタ１１３により反射し、フォトディテクタ１１６ａ，１１６ｂに入射する。ここで、ビームスプリッタ１１３により反射した反射光５２のうち、光記録媒体３０上に形成されたビームスポットの中心から見て外周側成分についてはフォトディテクタ１１６ａに入射し、内周側成分についてはフォトディテクタ１１６ｂに入射するようにフォトディテクタ１１６ａ，１１６ｂが配置されており、これによって、ビームスポットの中心から見て外周側成分についてはフォトディテクタ１１６ａにより光電変換され、ビームスポットの中心から見て内周側成分についてはフォトディテクタ１１６ｂにより光電変換されて、検出信号Ａ，Ｂがそれぞれ生成される。
【００５９】
検出信号Ａ，Ｂはいずれも加算器１０５及び減算器１０６に供給され、加算器１０５より得られる和信号（Ａ＋Ｂ）がＨＦ信号（再生信号）として用いられ、減算器１０６より得られる差信号（Ａ−Ｂ）がプッシュプル信号として用いられる。これらＨＦ信号及びプッシュプル信号はいずれもコントローラ１０７に供給され、データの再生時においてはＨＦ信号に基づいて再生データが生成され、データの記録時においてはプッシュプル信号に含まれるランドプリピット信号（ＬＰＰ信号）に基づいて記録エリアのアドレスが特定される。また、ＣＬＶ方式を用いた回転制御を行う場合にあっては、少なくともデータの記録時において、プッシュプル信号に含まれるウォブル信号（ＷＯ信号）に基づきスピンドルモータ１０１の回転速度が決定される。
【００６０】
次に、情報記録再生装置１００を用いて光記録媒体３０にレーザビーム５１を照射した場合に得られるプッシュプル信号について説明する。プッシュプル信号には、ランドプリピット信号、ウォブル信号及びトラッキングエラー信号が重畳されているが、以下、ランドプリピット信号成分に着目して説明を進める。
【００６１】
図４は、レーザビーム５１のビームスポット軌跡とプッシュプル信号の波形との関係を示す図であり、トラッキングがアベレージセンターに設定されたビームスポット軌跡上に当該グルーブ３１ｂ−１のアドレスを示すランドプリピット３１ｄが存在する場合を示している。上述のとおり、トラッキングの調整は、コントローラ１０７に含まれるトラッキング制御回路１０７ｂによって行われる。
【００６２】
尚、図４においてはグルーブ３１ｂがウォブリングしている様子は省略され、直線的に描かれている。これに合わせて、プッシュプル信号についてもウォブル信号成分を除いた状態で表示されている。これらの点については、以下に説明する図５においても同様である。
【００６３】
図４に示すように、レーザビーム５１のビームスポットが位置６１から位置６２までグルーブ３１ｂ−１に沿って移動する場合、位置６１と位置６２との間には当該グルーブ３１ｂ−１のアドレスを示すランドプリピット３１ｄが存在していることから、この区間において得られるプッシュプル信号は、ランドプリピット３１ｄを通過する際に負方向に大きく振れ、パルス６０ａが現れる。かかるパルス６０ａは図１３に示したパルス１８ａと同様のパルスであり、したがってこれを受けるコントローラ１０７は、プッシュプル信号に所定の負のしきい値を設定してこれを抽出すれば、ランドプリピット信号を得ることが可能となる。
【００６４】
図５は、レーザビーム５１のビームスポット軌跡とプッシュプル信号の波形との関係を示す図であり、トラッキングがアベレージセンターに設定されたビームスポット軌跡上に当該グルーブ３１ｂ−２から見て内周側に隣接するグルーブ３１ｂ−１のアドレスを示すランドプリピット３１ｄが存在する場合を示している。
【００６５】
図５に示すように、レーザビーム５１のビームスポットが位置７１から位置７２までグルーブ３１ｂ−２に沿って移動する場合、位置７１と位置７２との間には内周側のグルーブ３１ｂ−１のアドレスを示すランドプリピット３１ｄが存在していることから、この区間において得られるプッシュプル信号は、ランドプリピット３１ｄを通過する際に正方向に大きく振れ、パルス６０ｂが現れる。かかるパルス６０ｂは図１３に示したパルス１８ｂと同様のパルスであり、アドレスの特定には用いられない。
【００６６】
図４及び図５に示すように、レーザビーム５１のトラッキングがアベレージセンターに設定されている場合には、パルス６０ａのパルス強度ＬＰＰａはパルス６０ｂのパルス強度ＬＰＰｂよりも大きい。これは、光記録媒体３０のようにランドプリピット３１ｄをグルーブ３１ｂの一部である蛇行部分によって構成した場合や、図１４（ｂ）に示したようにランドプリピットをランドの中央よりも内周側にずらして形成した場合に生じる現象であり、図１４（ａ）に示したようにランドプリピットをランドの略中央に独立して形成した場合にはこのような現象は生じない。
【００６７】
このようにパルス６０ａのパルス強度ＬＰＰａとパルス６０ｂのパルス強度ＬＰＰｂとの間に差が生じていても、ランドプリピット信号はプッシュプル信号に含まれるパルス６０ａを抽出して得られるものであることから、これによりランドプリピット信号の信号品質が低下することはない。しかしながら、ランドプリピット３１ｄをグルーブ３１ｂの一部である蛇行部分によって構成すると、ランドプリピット３１ｄが形成されている部分において溝パラメータが局所的に変動するため、記録時においてトラッキングをアベレージセンターに設定するとＨＦ信号のノイズが増加し、信号品質が低下することがある。かかる現象は、図１４（ｂ）に示す例のようにランドプリピットを内周側にずらして形成した場合においても同様に生じる。
【００６８】
しかしながら、図４に示すパルス６０ａのパルス強度ＬＰＰａや図５に示すパルス６０ｂのパルス強度ＬＰＰｂは、レーザビーム５１のトラッキングオフセットによって変化させることが可能である。具体的には、パルス６０ａのパルス強度ＬＰＰａは、レーザビーム５１のトラッキングオフセットがゼロ近辺において最大となり、トラッキングを外周側または内周側にオフセットさせるにしたがって緩やかに低下する。一方、パルス６０ｂのパルス強度ＬＰＰｂは、レーザビーム５１のトラッキングを内周側にオフセットさせるほど大きく、外周側にオフセットさせるほど小さくなる。
【００６９】
本実施態様においては、これを考慮して、光記録媒体３０にデータを記録する場合、レーザビーム５１のトラッキングを内周側又は外周側にオフセットさせることによりパルス６０ａのパルス強度ＬＰＰａとパルス６０ｂのパルス強度ＬＰＰｂとの比を調整している。上述のとおり、レーザビーム５１のトラッキングオフセットは、コントローラ１０７に含まれるトラッキング制御回路１０７ｂによる制御のもと、レンズ駆動回路１０４が出力するレンズ駆動信号１０４ａによって調整することができる。
【００７０】
ここで、内周側又は外周側へのトラッキングオフセット量としては、パルス６０ａのパルス強度ＬＰＰａとパルス６０ｂのパルス強度ＬＰＰｂとの比（ＬＰＰｂ／ＬＰＰａ）が０．５〜０．７の範囲内となるように設定する必要があり、０．５５〜０．６５の範囲内となるように設定することが好ましく、約０．６となるように設定することが特に好ましい。かかる比（ＬＰＰｂ／ＬＰＰａ）が０．５〜０．７の範囲内となるようにレーザビーム５１のトラッキングをオフセットさせれば、レーザビーム５１のトラッキングオフセットがゼロである場合と比べてＨＦ信号の品質を大きく改善することが可能となり、かかる比（ＬＰＰｂ／ＬＰＰａ）が０．５５〜０．６５の範囲内となるようにレーザビーム５１のトラッキングをオフセットさせれば、レーザビーム５１のトラッキングオフセットがゼロである場合と比べてＨＦ信号の品質をより大きく改善することが可能となり、かかる比（ＬＰＰｂ／ＬＰＰａ）が約０．６となるようにレーザビーム５１のトラッキングをオフセットさせれば、レーザビーム５１のトラッキングオフセットがゼロである場合と比べてＨＦ信号の品質を非常に大きく改善することが可能となる。
【００７１】
光記録媒体３０のようにランドプリピット３１ｄをグルーブ３１ｂの一部である蛇行部分によって構成した場合、トラッキングオフセットの方向は、ランドプリピット３１ｄから見て内周部分に位置するランド３１ｃの張り出し部の形状に依存する。具体的には、ランド３１ｃの張り出し部が相対的に大きい場合には、トラッキングを外周側へオフセットさせることによりＬＰＰｂ／ＬＰＰａを０．５〜０．７の範囲内とすることができ、ランド３１ｃの張り出し部が相対的に小さい場合には、トラッキングを内周側へオフセットさせることによりＬＰＰｂ／ＬＰＰａを０．５〜０．７の範囲内とすることができる。
【００７２】
上記トラッキングオフセットの設定は、トラッキングオフセットを変更しながらパルス６０ａのパルス強度ＬＰＰａとパルス６０ｂのパルス強度ＬＰＰｂを実測することにより行っても構わないし、最適なトラッキングオフセット量を示す設定情報を予め光記録媒体３０内に格納しておき、情報記録再生装置１００がこれに従って設定を行っても構わない。このような設定情報は、ウォブルやプレピットとして光記録媒体３０内に記録されたものでもよく、記録層４１にデータとして記録されたものでもよい。また、最適なトラッキングオフセット量を直接的に示すもののみならず、情報記録再生装置１００内にあらかじめ格納されている複数のトラッキングオフセット設定値のいずれかを指定することにより最適なトラッキングオフセット量の決定を間接的に行うものであっても構わない。
【００７３】
図６は、情報記録再生装置１００側の実測によりトラッキングオフセットを設定する方法を示すフローチャートである。
【００７４】
本例においては、まず、コントローラ１０７による制御のもと、スピンドルモータ１０１を駆動して光記録媒体３０を回転させるとともに（ステップＳ１）、レーザ駆動信号１０３ａをレーザ光源１１１に供給することによりレーザビーム５１を光記録媒体３０に照射する（ステップＳ２）。そして、コントローラ１０７に含まれるフォーカス制御回路１０７ａにより、レーザビーム５１の焦点を光記録媒体３０内の記録層４１に合わせる。すなわち、フォーカスオンさせる（ステップＳ３）。
【００７５】
次に、コントローラ１０７による制御のもと、トラッキングオフセットをゼロに設定し（ステップＳ４）、コントローラ１０７に含まれるトラッキング制御回路１０７ｂにより、レーザビーム５１のビームスポットを光記録媒体３０のグルーブ３１ｂに対して自動追従状態とする。すなわち、トラッキングオンさせる（ステップＳ５）。
【００７６】
この状態において、減算器１０６より得られるプッシュプル信号からランドプリピット３１ｄに起因するパルス成分（パルス６０ａ、６０ｂ）を抽出し、パルス６０ａのパルス強度ＬＰＰａとパルス６０ｂのパルス強度ＬＰＰｂとを測定する（ステップＳ６）。そして、測定されたパルス６０ａのパルス強度ＬＰＰａとパルス６０ｂのパルス強度ＬＰＰｂの比（ＬＰＰｂ／ＬＰＰａ）を演算し（ステップＳ７）、得られた比（ＬＰＰｂ／ＬＰＰａ）が規定範囲内であるか否かを判断する（ステップＳ８）。ここで、規定範囲としては０．５〜０．７の範囲内において定める必要があり、０．５５〜０．６５の範囲内において定めることが好ましく、約０．６前後とすることが特に好ましい。
【００７７】
かかる判断の結果、ステップＳ７において得られた比（ＬＰＰｂ／ＬＰＰａ）が規定範囲外であれば（ステップＳ８：ＮＯ）、トラッキングオフセットを現在の設定値よりも所定量だけ内周側又は外周側に再設定した後（ステップＳ９）、ステップＳ６以降に戻って、パルス６０ａのパルス強度ＬＰＰａとパルス６０ｂのパルス強度ＬＰＰｂの測定（ステップＳ６）、比（ＬＰＰｂ／ＬＰＰａ）の演算（ステップＳ７）を行い、得られた比（ＬＰＰｂ／ＬＰＰａ）が規定範囲内であるか否かを再度判断する（ステップＳ８）。
【００７８】
このような動作をステップＳ７において得られた比（ＬＰＰｂ／ＬＰＰａ）が規定範囲内となるまで繰り返し実行し、最終的にかかる比（ＬＰＰｂ／ＬＰＰａ）が規定範囲内となれば（ステップＳ８：ＹＥＳ）、一連のトラッキングオフセット設定動作を終了する。その後は、通常通り、ユーザの指示にしたがってデータの記録を行う。
【００７９】
このような方法によりトラッキングオフセットの設定を行えば、光記録媒体３０に上記設定情報が格納されていなくても、ランドプリピット３１ｄによる影響を考慮した最適なトラッキングオフセットに設定された状態でデータの記録を行うことが可能となる。
【００８０】
図７は、情報記録再生装置１００側の実測によりトラッキングオフセットを設定する他の方法を示すフローチャートであり、図６に示した方法と同じ動作を行うステップについての重複する説明は省略する。
【００８１】
まず、ステップＳ１からステップＳ５までの動作は、図６に示したトラッキングオフセット設定動作と同様である。ステップＳ５が完了した後、本例では内部変数ｉを０にリセットし（ステップＳ１０）、その後、ステップＳ６，Ｓ７を実行する。次に、内部変数ｉが所定値ｎに一致しているか否かを判断し（ステップＳ１１）、一致していなければ（ステップＳ１１：ＮＯ）、ステップＳ９を実行するとともに、内部変数ｉをインクリメントしてから（ステップＳ１２）、ステップＳ６以降に戻る。つまり、ステップＳ６〜Ｓ１２からなるループをｎ回繰り返し実行する。
【００８２】
そして、上記ループをｎ回繰り返した結果、ステップＳ１１において内部変数ｉがｎに一致すると（ステップＳ１１：ＹＥＳ）、実際のトラッキングオフセット量を、ステップＳ７において得られたｎ＋１個の比（ＬＰＰｂ／ＬＰＰａ）のうち最も規定値に近い比が得られた値に設定する（ステップＳ１３）。ここで、規定値としては０．５〜０．７の範囲内とする必要があり、０．５５〜０．６５の範囲内とすることが好ましく、約０．６前後とすることが特に好ましい。
【００８３】
以上により一連のトラッキングオフセット設定動作を終了し、その後は、通常通り、ユーザの指示にしたがってデータの記録を行う。
【００８４】
このような方法によりトラッキングオフセットの設定を行えば、図６に示したトラッキングオフセット設定動作を行う場合の効果に加え、ｎ＋１個得られる比（ＬＰＰｂ／ＬＰＰａ）のうち最も規定値に近い比を得ることができるトラッキングオフセット量に設定されることから、より高品質な信号記録を行うことが可能となる。また、本例によれば、光記録媒体３０の種類に関わらずトラッキングオフセットの設定に要する時間が実質的に一定となることから、トラッキングオフセットの設定に予想以上の時間がかかることもない。
【００８５】
図８は、光記録媒体３０に格納された設定情報に基づきトラッキングオフセットを設定する方法を示すフローチャートである。図６に示した方法と同じ動作を行うステップについての重複する説明は省略する。
【００８６】
まず、ステップＳ１からステップＳ５までの動作は、図６に示したトラッキングオフセット設定動作と同様である。ステップＳ５が完了した後、本例では光記録媒体３０に格納された設定情報を読み出し（ステップＳ１４）、これに基づいてトラッキングオフセットの設定を行う（ステップＳ１５）。以上により一連のトラッキングオフセット設定動作を終了し、その後は、通常通り、ユーザの指示にしたがってデータの記録を行う。
【００８７】
このような方法によりトラッキングオフセットの設定を行えば、情報記録再生装置１００側による実測を行うことなく、速やかにトラッキングオフセットの設定を行うことが可能となる。
【００８８】
以上説明したように、本実施態様においては、ランドプリピットがグルーブの一部である蛇行部分によって構成された光記録媒体や、ランドプリピットがランドの中央よりも内周側にずらして形成された光記録媒体に対してデータの記録を行う場合に、トラッキングを内周側又は外周側にオフセットさせることにより当該トラックの外周側に位置するランドプリピットより得られるパルスの強度ＬＰＰａと当該トラックの内周側に位置するランドプリピットより得られるパルスの強度ＬＰＰｂとの比（ＬＰＰｂ／ＬＰＰａ）を０．５〜０．７、好ましくは０．５５〜０．６５、より好ましくは約０．６となるように設定していることから、良好な品質をもったＨＦ信号を得ることが可能となる。
【００８９】
本発明は、以上の実施態様に限定されることなく、特許請求の範囲に記載された発明の範囲内で種々の変更が可能であり、それらも本発明の範囲内に包含されるものであることはいうまでもない。
【００９０】
例えば、上記実施態様においては、図２に示すようにランドプリピット３１ｄがグルーブ３１ｂの一部である蛇行部分によって構成されたタイプの光記録媒体を例に説明したが、本発明の適用対象がこれに限定されるものではなく、ランドプリピットがランドの中央からずれて配置されていれば、どのようなタイプの光記録媒体に対しても適用することが可能である。但し、本発明による効果は、図２に示すようにランドプリピット３１ｄがグルーブ３１ｂの一部である蛇行部分によって構成されたタイプの光記録媒体に適用した場合において、より顕著となる。
【００９１】
また、上記実施態様においては、記録層４１が有機色素からなる追記型光記録媒体を例に説明したが、本発明の適用対象がこれに限定されるものではなく、他のタイプの追記型光記録媒体、例えば記録層が複数の無機反応膜の積層体からなるタイプの追記型光記録媒体に対しても適用することが可能であり、さらに、記録層が相変化材料からなる書き換え型の光記録媒体に対しても適用することが可能である。但し、本発明による効果は、記録層４１が有機色素からなる追記型光記録媒体に適用した場合において、より顕著となる。
【００９２】
【実施例】
以下、実施例を用いて本発明について更に具体的に説明するが、本発明はこれらの実施例に何ら限定されるものではない。
【００９３】
［光記録媒体の準備］
まず、図１に示す構成と同じ構造を有する光記録媒体を用意した。
【００９４】
用意した光記録媒体の光透過性基板及びダミー基板はいずれもポリカーボネートからなり、厚さはいずれも０．６ｍｍである。光透過性基板に設けられたグルーブのグルーブ半値幅、グルーブ深さ及びグルーブピッチは、それぞれ０．３μｍ、０．１８μｍ及び０．７４μｍであり、光透過性基板に設けられたランドプリピットは、図２に示すように、グルーブグルーブの一部である蛇行部分によって構成されている。
【００９５】
また、記録層、反射層、保護層及び接着層は、それぞれアゾ系色素、Ａｇを主成分とする合金、紫外線硬化性樹脂及び紫外線硬化性接着剤からなり、その厚さはそれぞれ９０ｎｍ、１００ｎｍ、１０μｍ及び４５μｍである。
【００９６】
［評価＃１］
用意した光記録媒体を情報記録再生装置にセットし、回転させながら、再生パワーＰｒに設定されたレーザビームをグルーブに沿って照射し、トラッキングオフセットを変更しながら、得られるプッシュプル信号を測定した。そして、プッシュプル信号に含まれるパルス成分のうち、当該グルーブの外周側のランドプリピットに起因するパルスのパルス強度ＬＰＰａと、内周側のランドプリピットに起因するパルスのパルス強度ＬＰＰｂと測定した。結果を図９に示す。
【００９７】
図９に示すように、当該グルーブの外周側のランドプリピットに起因するパルスのパルス強度ＬＰＰａは、トラッキングオフセットがゼロ近辺である場合に最大となり、トラッキングを外周側または内周側にオフセットさせるにしたがって緩やかに低下した。一方、当該グルーブの内周側のランドプリピットに起因するパルスのパルス強度ＬＰＰｂは、トラッキングを外周側にオフセットさせるほど小さく、内周側にオフセットさせるほど大きくなった。
【００９８】
図１０は、パルス強度ＬＰＰａとパルス強度ＬＰＰｂとの比（ＬＰＰｂ／ＬＰＰａ）とトラッキングオフセットとの関係を示すグラフである。図１０に示すように、パルス強度ＬＰＰａとパルス強度ＬＰＰｂとの比（ＬＰＰｂ／ＬＰＰａ）は、トラッキングを内周側にオフセットさせるほど「１」に近づいた。また、トラッキングを内周側に約０．０３μｍオフセットさせた場合に、上記比（ＬＰＰｂ／ＬＰＰａ）が０．６となった。
【００９９】
［評価＃２］
次に、上記光記録媒体の所定のトラックに対し、トラッキングオフセットを変更しながら３Ｔ〜１１Ｔ及び１４Ｔからなるランダム信号を記録した後、これを読み出し、得られるジッタ及びＰＩエラー数を測定した。ここでいうジッタとはクロックジッタを指し、タイムインターバルアナライザにより再生信号の「ゆらぎ（σ）」を求め、σ／Ｔｗ（Ｔｗ：クロックの１周期）により算出した。また、ＰＩエラー数は、８ＥＣＣ期間に発生したエラー数（平均値）である。結果を図１１に示す。
【０１００】
図１１に示すように、ジッタ及びＰＩエラー数とも、トラッキングオフセットがゼロの場合よりも外周側にオフセットしている場合の方が良好な値となった。特にＰＩエラー数については、トラッキングを内周側に約０．０３μｍオフセットさせた場合に最小値が得られた。かかるオフセット量は、上述したパルス強度ＬＰＰａとパルス強度ＬＰＰｂとの比（ＬＰＰｂ／ＬＰＰａ）が０．６となるオフセット量である。これにより、かかる比（ＬＰＰｂ／ＬＰＰａ）が０．６となるようにトラッキングをオフセットさせれば、記録された信号の信号品質が最も高くなることが確認された。
【０１０１】
【発明の効果】
以上説明したように、本発明においては、ランドプリピットがグルーブの一部である蛇行部分によって構成された光記録媒体や、ランドプリピットがランドの中央よりも内周側にずらして形成された光記録媒体に対してデータの記録を行う場合に、トラッキングを内周側又は外周側にオフセットさせることにより、当該トラックの外周側に位置するランドプリピットより得られるパルスのパルス強度ＬＰＰａと当該トラックの内周側に位置するランドプリピットより得られるパルスのパルス強度ＬＰＰｂとの比（ＬＰＰｂ／ＬＰＰａ）を０．５〜０．７となるように設定していることから、高品質な信号記録を行うことが可能となる。
【図面の簡単な説明】
【図１】（ａ）は、本発明の適用が好適な光記録媒体３０の外観を示す切り欠き斜視図であり、（ｂ）は（ａ）に示すＡ部を拡大した部分断面図である。
【図２】光透過性基板３１に設けられたグルーブ３１ｂおよびランド３１ｃの構造を示す切り欠き斜視図である。
【図３】光記録媒体３０に対してデータの記録／再生を行う情報記録再生装置１００の概略構成図である。
【図４】レーザビーム５１のビームスポット軌跡とプッシュプル信号の波形との関係を示す図であり、トラッキングオフセットがゼロであるビームスポット軌跡上に当該グルーブ３１ｂ−１のアドレスを示すランドプリピット３１ｄが存在する場合を示している。
【図５】レーザビーム５１のビームスポット軌跡とプッシュプル信号の波形との関係を示す図であり、トラッキングオフセットがゼロであるビームスポット軌跡上に当該グルーブ３１ｂ−２から見て内周側に隣接するグルーブ３１ｂ−１のアドレスを示すランドプリピット３１ｄが存在する場合を示している。
【図６】情報記録再生装置１００側の実測によりトラッキングオフセットを設定する方法を示すフローチャートである。
【図７】情報記録再生装置１００側の実測によりトラッキングオフセットを設定する他の方法を示すフローチャートである。
【図８】光記録媒体３０に格納された設定情報に基づきトラッキングオフセットを設定する方法を示すフローチャートである。
【図９】トラッキングオフセットとパルス強度ＬＰＰａ及びパルス強度ＬＰＰｂとの関係を示すグラフである。
【図１０】トラッキングオフセットと、パルス強度ＬＰＰａとパルス強度ＬＰＰｂとの比（ＬＰＰｂ／ＬＰＰａ）との関係を示すグラフである。
【図１１】トラッキングオフセットとジッタ及びＰＩエラーとの関係を示すグラフである。
【図１２】フォトディテクタの出力に基づいてプッシュプル信号を生成する方法を概念的に示す模式図である。
【図１３】図１３は、グルーブに沿ってレーザビームを照射した場合に得られるプッシュプル信号の波形図である。
【図１４】種々のランドプリピットの形状を概略的に示す斜視図であり、（ａ）はランドプリピットをランドの略中央に独立して形成した例を示し、（ｂ）はランドプリピットを内周側にずらして形成した例を示し、（ｃ）はランドプリピットをグルーブの一部である蛇行部分によって構成した例を示している。
【符号の説明】
３０  光記録媒体
３１  光透過性基板
３１ａ  光入射面
３１ｂ  グルーブ
３１ｃ  ランド
３１ｄ  ランドプリピット
３２  ダミー基板
４１  記録層
４２  反射層
４３  保護層
４４  接着層
５１  レーザビーム
５２  反射光
６０ａ  外周側に位置するランドプリピット３１ｄに起因するパルス
６０ｂ  内周側に位置するランドプリピット３１ｄに起因するパルス
６１，６２，７１，７２  ビームスポット位置
１００  情報記録再生装置
１０１  スピンドルモータ
１０２  トラバースモータ
１０３  レーザ駆動回路
１０４  レンズ駆動回路
１０５  加算器
１０６  減算器
１０７  コントローラ
１０７ａ  フォーカス制御回路
１０７ｂ  トラッキング制御回路
１１０  光ヘッド
１１１  レーザ光源
１１２  コリメータレンズ
１１３  ビームスプリッタ
１１４  対物レンズ
１１５  アクチュエータ
１１６ａ，１１６ｂ  フォトディテクタ
【図１】
2004234775.tif 000003
【図２】
2004234775.tif 000004
【図３】
2004234775.tif 000005
【図４】
2004234775.tif 000006
【図５】
2004234775.tif 000007
【図６】
2004234775.tif 000008
【図７】
2004234775.tif 000009
【図８】
2004234775.tif 000010
【図９】
2004234775.tif 000011
【図１０】
2004234775.tif 000012
【図１１】
2004234775.tif 000013
【図１２】
2004234775.tif 000014
【図１３】
2004234775.tif 000015
【図１４】
2004234775.tif 000016